(57)【要約】【課題】画像表示装置の設置位置や方法に関わらず、非接触タグとの通信を可能とする。【解決手段】画像表示装置は複数の非接触タグと画像制御装置とを備える。非接触タグは外部機器との間で送受信を行う通信部とデータ受信を示す更新情報と受信時刻情報とを生成する制御部と受信したデータと更新情報と受信時刻情報とを記憶する記憶部とを備える。画像制御装置は設定記憶部と判定部と主制御部とを備え、判定部は更新情報に基づいて少なくとも一つの非接触タグは外部機器からデータを受信したか否かを判定する。受信したと判定した場合、主制御部は受信時刻情報に基づいて非接触タグを特定し、特定した非接触タグの記憶部からデータを取得し設定記憶部に書き込む。【選択図】図２
2016206913.tif 000002
【特許請求の範囲】
【請求項１】
互いに異なる位置に設けられる複数の非接触タグと、画像制御装置とを備える画像表示装置であって、
前記非接触タグは、
外部機器との間でデータの送受信を行う通信部と、
前記通信部が前記外部機器から前記データを受信した場合、受信した前記データと、当該データを受信したことを示す更新情報と、受信した時刻を示す受信時刻情報とを記憶する記憶部と、
前記更新情報と、前記受信時刻情報とを生成し、生成した前記更新情報と前記受信時刻情報とを前記記憶部に記憶させる制御部と、
を含んで構成され、
前記画像制御装置は、
前記データを記憶する設定記憶部と、
前記複数の非接触タグから前記更新情報と前記受信時刻情報を取得し、取得した複数の前記更新情報に基づいて前記複数の非接触タグのうち少なくとも一つが前記外部機器から前記データを受信したか否かを判定する判定部と、
前記判定部の判定結果に基づいて、前記外部機器から前記データを受信したと判定した場合、取得した複数の前記受信時刻情報に基づいて、前記複数の非接触タグのうち、前記記憶部から前記データを読み出す対象の非接触タグを特定し、前記特定した非接触タグの記憶部に書き込まれた前記データを取得し、取得した前記データを前記設定記憶部に書き込む主制御部と、
を含んで構成される
ことを特徴とする画像表示装置。
【請求項２】
前記画像表示装置において、
前記設定記憶部に前記データが書き込まれた場合、前記主制御部は前記設定記憶部から前記データを取得し、取得した前記データを前記複数の非接触タグに送り、
前記データを受け付けた前記非接触タグの前記制御部は、受け付けた前記データを前記記憶部に書き込む
ことを特徴とする請求項１に記載の画像表示装置。
【請求項３】
前記複数の非接触タグのうち、少なくとも１つは、前記画像表示装置が設置された状態において前記画像表示装置の下部に配置される
ことを特徴とする請求項１または請求項２に記載の画像表示装置。
【請求項４】
前記画像表示装置において、
前記複数の非接触タグは、前記画像表示装置のフロントベゼルに配置される
ことを特徴とする請求項１から請求項３のいずれか１項に記載の画像表示装置。
【請求項５】
前記画像表示装置において、
前記画像表示装置は、前記フロントベゼルの任意の辺を底辺として設置可能であり、
前記複数の非接触タグは、前記フロントベゼルの各辺に、少なくとも１つが配置される
ことを特徴とする請求項４に記載の画像表示装置。
【請求項６】
複数の非接触タグと、画像制御装置とを備える画像表示装置の非接触タグの制御方法であって、
前記非接触タグにおいて、
通信部が、外部機器との間でデータの送受信を行い、
記憶部が、前記通信部が前記外部機器からデータを受信した場合、受信したデータと、データを受信したことを示す更新情報と、受信した時刻を示す受信時刻情報とを記憶し、
制御部が、前記更新情報と前記受信時刻情報とを生成し、生成した前記更新情報と前記受信時刻情報とを前記記憶部に記憶させ、
前記画像制御装置において、
設定記憶部が、データを記憶し、
判定部が、前記複数の非接触タグから前記更新情報と前記受信時刻情報を取得し、取得した複数の前記更新情報に基づいて前記複数の非接触タグのうち少なくとも一つは前記外部機器から前記データを受信したか否かを判定し、
主制御部が、前記判定部の判定結果に基づいて、前記外部機器から前記データを受信したと判定した場合、取得した複数の前記受信時刻情報に基づいて、前記複数の非接触タグのうち、前記記憶部から前記データを読み出す対象の非接触タグを特定し、前記特定した非接触タグの記憶部に書き込まれた前記データを取得し、取得した前記データを前記設定記憶部に書き込む
ことを特徴とする非接触タグの制御方法。
【請求項７】
外部機器との間でデータの送受信を行い、前記外部機器から前記データを受信した場合、受信した前記データと、前記データを受信したことを示す更新情報と、受信した時刻を示す受信時刻情報とを記憶する複数の非接触タグと、前記データを記憶する設定記憶部と、主制御部とを含んで構成される画像表示装置において、
前記複数の非接触タグから前記更新情報と前記受信時刻情報を取得する第１の過程と、
取得した複数の前記更新情報に基づいて前記複数の非接触タグのうち少なくとも一つは前記外部機器から前記データを受信したか否かを判定する第２の過程と、
前記外部機器から前記データを受信したと判定した場合、取得した複数の前記受信時刻情報に基づいて、前記複数の非接触タグのうち、前記データを読み出す対象の非接触タグを特定する第３の過程と、
前記特定した非接触タグが記憶した前記データを取得する第４の過程と、
取得した前記データを前記設定記憶部に書き込む第５の過程と、
を前記主制御部に実行させるためのプログラム。
【発明の詳細な説明】
【技術分野】
【０００１】
本発明は、画像表示装置、非接触タグの制御方法、プログラムに関する。
【背景技術】
【０００２】
非接触タグは、外部機器と近接することで電力の供給を受け、その外部機器との間で双方向通信を行うことができるものである。例えば、特許文献１には、表示器の表示領域の拡張化を図る際に、その表示領域の拡張が容易な上に、全体の消費電力の低減化を実現できる非接触タグについての記載がある。特許文献１に記載の技術では、複数のＩＣチップのうち一つをマスタとして外部機器との通信に用い、残りのＩＣチップはスレーブとして、表示領域の拡張に用いられる。
【先行技術文献】
【特許文献】
【０００３】
【特許文献１】特開２００６−２７６７１９号公報
【発明の概要】
【発明が解決しようとする課題】
【０００４】
近年、画像表示装置と非接触タグの一種であるＮＦＣ（Ｎｅａｒ  Ｆｉｅｌｄ  Ｃｏｍｍｕｎｉｃａｔｉｏｎ）タグを組み合わせた機器が普及している。ＮＦＣは、近距離無線通信規格であり、次世代国際標準規格として、非接触ＩＣ（Ｉｎｔｅｇｒａｔｅｄ  Ｃｉｒｃｕｉｔ）カードの共通規格となっている。画像表示装置本体に内蔵したＮＦＣタグへスマートフォン等をかざすことで、例えば、画像表示装置の電源がオフの状態でも画像表示装置の設定情報、稼働情報、エラー情報、等を外部機器へ読み出し、或いはまた、外部機器から書き込みを行うことができる。
しかしながら、ＮＦＣタグの取り付け位置は、画像表示装置のフロントベゼル部分や筐体の背面であることが多い。このような場合、画像表示装置の設置の位置や方法によっては、ＮＦＣタグの位置が外部機器との通信が困難な場所になる。さらに、ＮＦＣタグが生産ラインにおける検査に用いられる場合には、画像表示装置を梱包箱から取り出さず、蓋をあけるだけで検査できるという利便性から、ＮＦＣタグが画像表示装置の上部に取り付けられる場合がある。このような場合、画像表示装置が、例えば１００インチを超えるようなサイズの大型ディスプレイであると、ＮＦＣタグの位置が、使用者の手が届かない位置となる。このため、外部機器をかざしてＮＦＣタグと通信させることが難しい場合がある。また、画像表示装置を縦置きや横置きにした場合においても、ＮＦＣタグの位置が、使用者の手が届かない位置となり、外部機器をかざしてＮＦＣタグと通信させることが難しい場合がある。
【０００５】
本発明は、このような事情に鑑みてなされたもので、その目的は、画像表示装置の設置位置や方法に関わらず、非接触タグと外部機器との通信が容易な画像表示装置、非接触タグの制御方法、プログラムを提供することにある。
【課題を解決するための手段】
【０００６】
上述した課題を解決するために、本発明は、互いに異なる位置に設けられる複数の非接触タグと、画像制御装置とを備える画像表示装置であって、前記非接触タグは、外部機器との間でデータの送受信を行う通信部と、前記通信部が前記外部機器から前記データを受信した場合、受信した前記データと、当該データを受信したことを示す更新情報と、受信した時刻を示す受信時刻情報とを記憶する記憶部と、前記更新情報と、前記受信時刻情報とを生成し、生成した前記更新情報と前記受信時刻情報とを前記記憶部に記憶させる制御部と、を含んで構成され、前記画像制御装置は、前記データを記憶する設定記憶部と、前記複数の非接触タグから前記更新情報と前記受信時刻情報を取得し、取得した複数の前記更新情報に基づいて前記複数の非接触タグのうち少なくとも一つが前記外部機器から前記データを受信したか否かを判定する判定部と、前記判定部の判定結果に基づいて、前記外部機器から前記データを受信したと判定した場合、取得した複数の前記受信時刻情報に基づいて、前記複数の非接触タグのうち、前記記憶部から前記データを読み出す対象の非接触タグを特定し、前記特定した非接触タグの記憶部に書き込まれた前記データを取得し、取得した前記データを前記設定記憶部に書き込む主制御部と、を含んで構成されることを特徴とする画像表示装置である。
【０００７】
また、本発明は、複数の非接触タグと、画像制御装置とを備える画像表示装置の非接触タグの制御方法であって、前記非接触タグにおいて、通信部が、外部機器との間でデータの送受信を行い、記憶部が、前記通信部が前記外部機器から前記データを受信した場合、受信した前記データと、前記データを受信したことを示す更新情報と、受信した時刻を示す受信時刻情報とを記憶し、制御部が、前記更新情報と前記受信時刻情報とを生成し、生成した前記更新情報と前記受信時刻情報とを前記記憶部に記憶させ、前記画像制御装置において、設定記憶部が、前記データを記憶し、判定部が、前記複数の非接触タグから前記更新情報と前記受信時刻情報を取得し、取得した複数の前記更新情報に基づいて前記複数の非接触タグのうち少なくとも一つは前記外部機器から前記データを受信したか否かを判定し、主制御部が、前記判定部の判定結果に基づいて、前記外部機器から前記データを受信したと判定した場合、取得した複数の前記受信時刻情報に基づいて、前記複数の非接触タグのうち、前記記憶部から前記データを読み出す対象の非接触タグを特定し、前記特定した非接触タグの記憶部に書き込まれた前記データを取得し、取得した前記データを前記設定記憶部に書き込むことを特徴とする非接触タグの制御方法である。
【０００８】
また、本発明は、外部機器との間でデータの送受信を行い、前記外部機器から前記データを受信した場合、受信した前記データと、前記データを受信したことを示す更新情報と、受信した時刻を示す受信時刻情報とを記憶する複数の非接触タグと、前記データを記憶する設定記憶部と、主制御部とを含んで構成される画像表示装置において、前記複数の非接触タグから前記更新情報と前記受信時刻情報を取得する第１の過程と、取得した複数の前記更新情報に基づいて前記複数の非接触タグのうち少なくとも一つは前記外部機器から前記データを受信したか否かを判定する第２の過程と、前記外部機器から前記データを受信したと判定した場合、取得した複数の前記受信時刻情報に基づいて、前記複数の非接触タグのうち、前記データを読み出す対象の非接触タグを特定する第３の過程と、前記特定した非接触タグが記憶した前記データを取得する第４の過程と、取得した前記データを前記設定記憶部に書き込む第５の過程と、を前記主制御部に実行させるためのプログラムである。
【発明の効果】
【０００９】
以上説明したように、この発明によれば、画像表示装置の設置位置や方法に関わらず、非接触タグと外部機器との通信ができる。
【図面の簡単な説明】
【００１０】
【図１】本発明の一実施形態に係る画像表示装置の構成の模式図である。
【図２】本発明の一実施形態に係る画像表示装置の概略機能構成を示すブロック図である。
【図３】本発明の一実施形態に係る画像表示装置の起動時における動作の一例を示すフローチャートである。
【図４】本発明の一実施形態に係る画像表示装置の動作時において、画像表示装置内で設定変更があった場合における画像表示装置の動作の一例を示すフローチャートである。
【図５】本発明の一実施形態に係る画像表示装置の動作時において、非接触タグが外部機器からデータを受信した場合における画像表示装置の動作の一例を示すフローチャートである。
【図６】第２実施形態に係る画像表示装置の概略機能構成を示すブロック図である。
【発明を実施するための形態】
【００１１】
以下、本発明の一実施形態に係る画像表示装置について図面を参照して説明する。
図１は、本実施形態に係る画像表示装置５の構成の模式図である。
画像表示装置５は、非接触タグ１ａと、非接触タグ１ｂと、非接触タグ１ｃと、非接触タグ１ｄと、画像制御装置２と、表示部３とを含んで構成される。以下では、非接触タグ１ａと、非接触タグ１ｂと、非接触タグ１ｃと、非接触タグ１ｄを、まとめて、非接触タグ１という場合もある。なお、図１では非接触タグ１は４しか図示されないが、２以上の任意の数であってもよい。画像制御装置２は、画像表示装置の筐体内に配置される。
【００１２】
非接触タグ１は、例えばＮＦＣ（Ｎｅａｒ  Ｆｉｅｌｄ  Ｃｏｍｍｕｎｉｃａｔｉｏｎ）タグである。ＮＦＣは、近距離無線通信規格であり、次世代国際標準規格として、非接触ＩＣ（Ｉｎｔｅｇｒａｔｅｄ  Ｃｉｒｃｕｉｔ）カードの共通規格となっている。
ＮＦＣタグは、外部機器のアンテナコイルと電磁結合をするアンテナコイルを備える。ＮＦＣタグは、外部機器が近接することで、電磁誘導により電磁結合をしたアンテナコイルに誘起された電力を用いて動作する。つまり、ＮＦＣタグは、外部からの固定電源に接続することなく動作が可能である。また、ＮＦＣタグは、例えば、画像表示装置５のような装置に組み込まれている場合において、その装置の電源がオンの場合、その装置の電源から電力を供給されてもよい。
【００１３】
ＮＦＣタグは、外部機器、例えばスマートフォンやタブレットＰＣ（Ｐｅｒｓｏｎａｌ  Ｃｏｍｐｕｔｅｒ）と近接することで、その外部機器と双方向通信を行う。ＮＦＣタグは、記憶部を備え、外部機器から受信したデータを記憶部に記憶する。また、ＮＦＣタグは、外部機器からの要求に従って、ＮＦＣタグの記憶部に記憶されたデータを外部機器に送信する。ＮＦＣタグの記憶部は、例えば、ＦｅＲＡＭ（Ｆｅｒｒｏｅｌｅｃｔｒｉｃ  Ｒａｎｄｏｍ  Ａｃｃｅｓｓ  Ｍｅｍｏｒｙ（強誘電体メモリ））、ＥＥＰＲＯＭ（Ｅｌｅｃｔｒｉｃａｌｙ  Ｅｒａｓａｂｌｅ  Ｐｒｏｇｒａｍｍａｂｌｅ  Ｒｅａｄ−Ｏｎｌｙ  Ｍｅｍｏｒｙ）などである。
【００１４】
更に、ＮＦＣタグは、例えば、Ｉ２Ｃ（Ｉｎｔｅｒ−Ｉｎｔｅｇｒａｔｅｄ  Ｃｉｒｃｕｉｔ）通信のためのＩ２Ｃバス・インターフェースを備える。Ｉ２Ｃ通信は、周辺デバイスとのシリアル通信の方式である。Ｉ２Ｃ通信は、主に、制御装置、例えばＣＰＵ（Ｃｅｎｔｒａｌ  Ｐｒｏｃｅｓｓｉｎｇ  Ｕｎｉｔ（中央処理装置））、とＥＥＰＲＯＭやそれを含んで構成されるＮＦＣタグなどとの間の高速通信を実現する方式である。Ｉ２Ｃ通信では、１つのバスに複数のデバイスを接続するパーティーライン構成を実現できる。Ｉ２Ｃ通信では、１つのマスタデバイス、例えばＣＰＵと、複数のスレーブデバイス、例えばＮＦＣタグとの通信ができる。スレーブデバイスとしてバスに接続された各ＮＦＣタグのＥＥＰＲＯＭは、各々固有のアドレスを有する。Ｉ２Ｃ通信では、このアドレスに基づいてスレーブデバイスを識別する。
以下では、非接触タグを、ＮＦＣタグという場合もある。
【００１５】
非接触タグ１は、画像表示装置５のフロントベゼル４に埋設される。図１では、フロントベゼル各辺に１ずつ、非接触タグ１が埋設される。ここで、フロントベゼルとは、主に液晶ディスプレイなどにおいて、表示部の外周部を支持および保護する機能を持つ部分である。
【００１６】
非接触タグ１は、外部機器と近接することで、その外部機器と双方向通信を行う。以下では、外部機器との双方向通信のことをＮＦＣ通信という場合もある。非接触タグ１は、ＮＦＣ通信により外部機器からデータを受信すると、データを受信したことを示す更新情報と、データを受信した時刻を示す受信時刻情報とを生成する。ここで、データとは、例えば、画像表示に係るデータである。画像表示に係るデータとは、例えば、画像表示装置５の表示部３が表示する輝度や色などの設定情報、画像表示装置５の稼働情報、画像表示装置５のエラー情報、等を示すものである。また、画像表示に係るデータとは、例えば、画像を示す画像データである。非接触タグ１は、受信したデータと、生成した更新情報と、生成した受信時刻情報とを記憶する。
【００１７】
非接触タグ１は、画像制御装置２から、例えばＩ２Ｃ通信によって、データとそのデータを記憶する指示とを受け付け、受け付けた指示に基づいて受け付けたデータを記憶する。非接触タグ１は、外部機器と近接することで、記憶しているデータをＮＦＣ通信により外部機器へ送信する。
非接触タグ１は、例えば、外部機器が近接することで電磁誘導により誘起された電力を用いて動作する。つまり、非接触タグ１は、画像表示装置５の電源がオフの状態においても外部機器との双方向通信ができる。
【００１８】
画像制御装置２は、例えば、Ｉ２Ｃ通信のためのＩ２Ｃバス・インターフェースを備える。画像制御装置２は、画像表示装置５の各種の制御を行う。例えば、画像制御装置２は、非接触タグ１の制御を行う。画像表示装置５の電源がオンになると（画像表示装置５の起動時）、画像制御装置２は、例えばＩ２Ｃ通信によって、非接触タグ１の各々に更新情報と受信時刻情報を送信させる指示を出し、非接触タグ１の各々から指示に基づいて送信された更新情報と受信時刻情報とを取得する。画像制御装置２は、取得した更新情報に基づいて、少なくとも１つの非接触タグ１が外部機器からデータを受信したか否かを判定する。いずれかの非接触タグ１がデータを受信したと判定した場合、画像制御装置２は、次に、取得した受信時刻情報に基づいて、最後に外部機器からデータを受信した非接触タグ１を、データを読み出す対象として特定する。画像制御装置２は、例えばＩ２Ｃ通信によって、特定した非接触タグ１へ外部機器から受信して記憶したデータの送信を指示し、その指示に基づいて送信されたデータを取得する。画像制御装置２は、取得したデータを記憶する。画像表示装置５は、画像制御装置２が記憶したデータに基づいて表示動作等を行う。
【００１９】
画像制御装置２は、動作中に記憶しているデータが書き換えられた（更新された）場合、例えばＩ２Ｃ通信によって、非接触タグ１の各々へ、更新されたデータを記憶する指示と更新されたデータとを送る。データが更新された場合とは、例えば、画像表示装置５の設定データが変更された場合、稼働状態を示すデータなどが更新された場合、等の場合である。
【００２０】
本実施形態の構成によれば、非接触タグ１は、画像表示装置５に複数配置される。複数配置された非接触タグ１の少なくとも１つの非接触タグが外部機器とのＮＦＣ通信によりデータを受信している場合、画像表示装置５の起動時に、画像制御装置２は各非接触タグ１の更新情報を判定する。少なくとも１つの非接触タグ１が外部機器からデータを受信していると判定した場合、画像制御装置２は、各非接触タグ１の受信時刻情報に基づいて最後に外部機器からデータを受信した非接触タグ１を特定する。画像制御装置２は、特定した非接触タグ１からデータを受け付けて、そのデータを記憶する。画像表示装置５は、画像制御装置２が記憶したデータに基づいて表示動作等を行う。これにより、複数配置された非接触タグ１のいずれもが外部機器とのＮＦＣ通信を行うことができる。ＮＦＣ通信によって受信されたデータは、画像表示装置５の画像制御装置２に記憶され、画像表示装置５の表示動作等に反映される。つまり、本実施形態の構成によれば、外部機器は、画像表示装置５の設置位置や方法に関わらず、非接触タグ１との通信ができる。
【００２１】
また、本実施形態の構成によれば、画像制御装置２は、画像制御装置２が動作中に画像表示装置５が記憶しているデータが更新された場合、非接触タグ１の各々へ、更新されたデータとそのデータを記憶する指示とを送る。非接触タグ１は、画像制御装置２から更新されたデータとそのデータを記憶する指示とを受け付け、その指示に基づいて受け付けたデータを記憶する。つまり、複数配置された非接触タグ１は、全て、同じデータを記憶する。これにより、複数配置された非接触タグ１のいずれもが、同じデータを記憶した状態で外部機器とのＮＦＣ通信を行うことができる。つまり、本実施形態の構成によれば、外部機器は、画像表示装置５の設置位置や方法に関わらず、非接触タグ１との通信ができる。
【００２２】
また、本実施形態の構成によれば、非接触タグ１は、フロントベゼル４の各辺に埋設される。したがって、画像表示装置を縦置きや横置きにした場合においても、非接触タグ１が埋設されたいずれかの辺に使用者が近づくことが可能となる。つまり、非接触タグ１の位置は、使用者の手が届く位置となり、外部機器をかざして非接触タグ１と通信させることができる。つまり、本実施形態の構成によれば、外部機器は、画像表示装置５の設置位置や方法に関わらず、非接触タグ１との通信ができる。
【００２３】
［非接触タグの構成］
次に、図２を参照して、画像表示装置５に含まれる各種装置の構成について説明する。
図２は、本実施形態に係る画像表示装置５の概略機能構成を示すブロック図である。
まず、非接触タグ１の構成について説明する。
非接触タグ１ａは、通信部１０１ａ、記憶部１０２ａ、制御部１０３ａを含んで構成される。非接触タグ１ｂは、通信部１０１ｂ、記憶部１０２ｂ、制御部１０３ｂを含んで構成される。非接触タグ１ｃは、通信部１０１ｃ、記憶部１０２ｃ、制御部１０３ｃを含んで構成される。非接触タグ１ｄは、通信部１０１ｄ、記憶部１０２ｄ、制御部１０３ｄを含んで構成される。以下では、通信部１０１ａ、通信部１０１ｂ、通信部１０１ｃ、通信部１０１ｄを、通信部１０１という場合もある。以下では、記憶部１０２ａ、記憶部１０２ｂ、記憶部１０２ｃ、記憶部１０２ｄを、記憶部１０２という場合もある。以下では、制御部１０３ａ、制御部１０３ｂ、制御部１０３ｃ、制御部１０３ｄを、制御部１０３という場合もある。非接触タグ１は、例えばＮＦＣタグである。
非接触タグ１は、更に、図示しない通信インターフェースを備える。非接触タグ１は、例えば、Ｉ２Ｃ通信のためのＩ２Ｃバス・インターフェースを備える。Ｉ２Ｃ通信は、周辺デバイスとのシリアル通信の方式である。
【００２４】
通信部１０１は、外部機器と近接することで、その外部機器との間で双方向通信を行う。以下では、外部機器との双方向通信のことをＮＦＣ通信という場合もある。通信部１０１は、ＮＦＣ通信によって外部機器から各種のデータを受信する。各種のデータとは、例えば、画像表示に係るデータである。画像表示に係るデータとは、例えば、画像表示装置５の表示部３が表示する輝度や色などの設定情報、画像表示装置５の稼働情報、画像表示装置５のエラー情報、等を示すものである。また、画像表示に係るデータとは、例えば、画像を示す画像データである。通信部１０１は、ＮＦＣ通信によって外部機器へ各種のデータを送信する。なお、通信部１０１は、外部機器と近接することで、外部機器との電磁結合により電力の供給を受けてもよい。通信部１０１は、例えば、外部機器が近接することで電磁誘導により電力を誘起する。非接触タグ１は、通信部１０１によって誘起された電力を用いて動作する。つまり、非接触タグ１は、画像表示装置５の電源がオフの状態においても外部機器との双方向通信ができる。
【００２５】
記憶部１０２は、各種のデータを記憶する。各種のデータとは、例えば、画像表示に係るデータである。記憶部１０２は、例えば、ＦｅＲＡＭ（Ｆｅｒｒｏｅｌｅｃｔｒｉｃ  Ｒａｎｄｏｍ  Ａｃｃｅｓｓ  Ｍｅｍｏｒｙ（強誘電体メモリ））、ＥＥＰＲＯＭ（Ｅｌｅｃｔｒｉｃａｌｙ  Ｅｒａｓａｂｌｅ  Ｐｒｏｇｒａｍｍａｂｌｅ  Ｒｅａｄ−Ｏｎｌｙ  Ｍｅｍｏｒｙ）などを備える。以下では、非接触タグ１に含まれる記憶部１０２のことを、ＮＦＣ＿ＥＥＰＲＯＭという場合もある。
【００２６】
制御部１０３は、通信部１０１がデータを受信すると、データを受信したことを示す更新情報（更新フラグ）とデータを受信した時刻を示す受信時刻情報（タイムスタンプ）を生成する。タイムスタンプには、例えば、受信した年、月、日、時、分、秒の情報が含まれていてもよい。制御部１０３は、受信したデータと、生成した更新フラグと、生成したタイムスタンプとを、記憶部１０２に書き込む。制御部１０３は、外部機器から通信部１０１を介してデータの送信を要求された場合、記憶部１０２からデータを取得し、通信部１０１に、取得したデータを外部機器へＮＦＣ通信によって送信させる。
制御部１０３は、例えばＩ２Ｃ通信によって、データとそのデータを記憶部１０２へ書き込む指示とを画像制御装置２から受け付けて、その指示に基づき受け付けたデータを記憶部１０２に書き込む。
【００２７】
［画像制御装置の構成］
次に、画像制御装置２の構成について説明する。
画像制御装置２は、設定記憶部２０１と、主制御部２０２とを含んで構成される。画像制御装置２は、更に、図示しない通信インターフェースを備える。画像制御装置２は、例えば、Ｉ２Ｃ通信のためのＩ２Ｃバス・インターフェースを備える。
設定記憶部２０１は、各種のデータを記憶する。各種のデータとは、例えば、画像表示に係るデータである。画像表示に係るデータとは、例えば、画像表示装置５の表示部３が表示する輝度や色などの設定情報、画像表示装置５の稼働情報、画像表示装置５のエラー情報、等を示すものである。また、画像表示に係るデータとは、例えば、画像を示す画像データである。設定記憶部２０１は、例えば、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）などを備える。また、設定記憶部２０１は、ＨＤＤ（Ｈａｒｄ  Ｄｉｓｃ  Ｄｒｉｖｅ）、ＥＥＰＲＯＭ、フラッシュメモリなどを備えてもよい。以下では、設定記憶部２０１のことを、ＭＡＩＮ＿ＥＥＰＲＯＭという場合もある。
【００２８】
主制御部２０２は、画像表示装置５の各種の制御を行う。例えば、画像表示装置５の電源がオンになると（画像表示装置５の起動時）、主制御部２０２は、例えばＩ２Ｃ通信によって、非接触タグ１の各々から更新フラグとタイムスタンプを取得する。主制御部２０２は、取得した更新フラグに基づいて、ＮＦＣ通信によって少なくとも１つの非接触タグ１が外部機器からデータを受信したか否かを判定する。少なくとも１つの非接触タグ１が外部機器からデータを受信したと判定した場合、主制御部２０２は、次に、取得したタイムスタンプに基づいて、最後に外部機器からデータを受信した非接触タグ１を特定する。主制御部２０２は、例えばＩ２Ｃ通信によって、外部機器から受信して記憶したデータを送信する指示を特定した非接触タグ１へ送信し、その指示に基づいて送信されたデータを取得する。主制御部２０２は、取得したデータを設定記憶部２０１に記憶させる。
【００２９】
また、主制御部２０２は、例えば、設定記憶部２０１のデータが更新された場合、設定記憶部２０１から更新されたデータを取得する。主制御部２０２は、例えばＩ２Ｃ通信によって、取得したデータを全ての非接触タグ１へ送信する。更に、主制御部２０２は、例えばＩ２Ｃ通信によって、送信されたデータを記憶部１０２へ書き込むことを制御部１０３へ指示する。設定記憶部２０１のデータが更新された場合とは、例えば、非接触タグ１がＮＦＣ通信によって外部機器から受信して記憶したデータを、例えばＩ２Ｃ通信によって主制御部２０２が取得し、取得したデータを主制御部２０２が設定記憶部２０１に記憶させた場合である。また、設定記憶部２０１のデータが更新された場合とは、例えば、画像表示装置５においてＯＳＤ（Ｏｎ  Ｓｃｒｅｅｎ  Ｄｉｓｐｌａｙ）等により表示の際の輝度や色の設定などを変更した場合である。或いは、設定記憶部２０１のデータが更新された場合とは、例えば、画像表示装置５の稼働時間の情報やエラー情報などの更新があった場合等である。
主制御部２０２は、例えばＣＰＵ（Ｃｅｎｔｒａｌ  Ｐｒｏｃｅｓｓｉｎｇ  Ｕｎｉｔ（中央処理装置））である。以下では、主制御部２０２を、ＣＰＵという場合もある。
【００３０】
［画像表示装置の動作：起動時］
次に、図３から図５を参照して、画像表示装置５の動作について説明する。
図３は、本実施形態に係る画像表示装置５の起動時における動作の一例を示すフローチャートである。
【００３１】
（ステップＳ３０１）まず、画像表示装置５の電源がオフの状態（起動していない状態）において、非接触タグ１の通信部１０１は、外部機器が近接することで、ＮＦＣ通信によって外部機器からデータを受信する。制御部１０３は、通信部１０１が受信したデータを取得し、取得したデータを記憶部１０２に書き込む。その後、画像表示装置５は、ステップＳ３０２へ処理を進める。
（ステップＳ３０２）次に、非接触タグ１の制御部１０３は、更新フラグとタイムスタンプとを生成し、生成した更新フラグとタイムスタンプとを記憶部１０２に書き込む。その後、画像表示装置５は、ステップＳ３０３へ処理を進める。
（ステップＳ３０３）次に、画像表示装置５の電源がオンになる（起動する）。その後、画像表示装置５は、ステップＳ３０４へ処理を進める。
【００３２】
（ステップＳ３０４）次に、主制御部２０２は、例えばＩ２Ｃ通信によって、記憶部１０２に記憶された更新フラグとタイムスタンプとを画像制御装置２へ送信させる指示を、全ての非接触タグ１へ送信する。その指示に基づいて、各非接触タグ１の制御部１０３は、例えばＩ２Ｃ通信によって、記憶部１０２に記憶された更新フラグとタイムスタンプとを画像制御装置２へ送信する。主制御部２０２は、送信された更新フラグとタイムスタンプとを取得する。その後、画像表示装置５は、ステップＳ３０５へ処理を進める。
（ステップＳ３０５）次に、主制御部２０２は、取得した更新フラグに基づいて、少なくとも１つの非接触タグがＮＦＣ通信によって外部機器からデータを受信したか否かを判定する。少なくとも１つの非接触タグが外部機器からデータを受信したと判定した場合（ステップＳ３０５における“ＹＥＳ”）、画像表示装置５は、ステップＳ３０６へ処理を進める。いずれの非接触タグも外部機器からデータを受信していないと判定した場合（ステップＳ３０５における“ＮＯ”）、画像表示装置５は、ステップＳ３０８へ処理を進める。
【００３３】
（ステップＳ３０６）次に、主制御部２０２は、取得したタイムスタンプに基づいて、ＮＦＣ通信によって最後に外部機器からデータを受信した非接触タグ１を特定する。主制御部２０２は、例えばＩ２Ｃ通信によって、特定した非接触タグ１の制御部１０３へ、その非接触タグ１が外部機器から受信して記憶したデータを送信させる指示を送信する。特定した非接触タグ１の制御部１０３は、その指示に基づいて、記憶部１０２からデータを取得し、例えばＩ２Ｃ通信によって、取得したデータを主制御部２０２に送信する。主制御部２０２は、その送信されたデータを取得する。その後、画像表示装置５は、ステップＳ３０７へ処理を進める。
（ステップＳ３０７）次に、主制御部２０２は、取得したデータを設定記憶部２０１に書き込む。その後、画像表示装置５は、ステップＳ３０８へ処理を進める。
（ステップＳ３０８）次に、画像表示装置５は、設定記憶部２０１に記憶されたデータに基づいて、表示動作を行う。以上で、画像表示装置５は、図３に示される処理を終了する。
【００３４】
［画像表示装置の動作：動作時その１］
図４は、本実施形態に係る画像表示装置５の動作時において、画像表示装置５内で設定変更があった場合における画像表示装置５の動作の一例を示すフローチャートである。
（ステップＳ４０１）まず、画像表示装置５は、設定記憶部２０１に記憶されたデータに基づいて、表示動作を行う。その後、画像表示装置５は、ステップＳ４０２へ処理を進める。
（ステップＳ４０２）次に、画像表示装置５において、表示の際の設定等のデータが更新される。表示の際の設定等のデータが更新される場合とは、例えば、ＯＳＤ等により表示の際の輝度や色の設定などが変更される場合である。また、例えば、画像表示装置５の稼働時間の情報やエラー情報などが更新される場合等である。その後、画像表示装置５は、ステップＳ４０３へ処理を進める。
【００３５】
（ステップＳ４０３）次に、主制御部２０２は、ステップＳ４０２で更新されたデータ（更新データ）を設定記憶部２０１に書き込む。その後、画像表示装置５は、ステップＳ４０４へ処理を進める。
（ステップＳ４０４）次に、主制御部２０２は、設定記憶部２０１へ書き込んだ更新データを設定記憶部２０１から取得し、取得したデータを、例えばＩ２Ｃ通信によって、全ての非接触タグ１へ送信する。また、主制御部２０２は、例えばＩ２Ｃ通信によって、送信されたデータを記憶部１０２に書き込む指示を、全ての非接触タグ１の制御部１０３へ送信する。非接触タグ１の制御部１０３は、更新データを主制御部２０２から受信し、受信した更新データを記憶部１０２に書き込む。その後、画像表示装置５は、ステップＳ４０５へ処理を進める。
（ステップＳ４０５）次に、画像表示装置５は、設定記憶部２０１に記憶されたデータに基づいて、表示動作を行う。以上で、画像表示装置５は、図４に示される処理を終了する。
なお、図３のステップＳ３０５においてＹＥＳと判定された場合におけるステップＳ３０８は、図４におけるステップＳ４０４へ処理を進めてもよい。
【００３６】
［画像表示装置の動作：動作時その２］
図５は、本実施形態に係る画像表示装置５の動作時において、非接触タグ１が外部機器からデータを受信した場合における画像表示装置５の動作の一例を示すフローチャートである。
（ステップＳ５０１）まず、画像表示装置５は、設定記憶部２０１に記憶されたデータに基づいて、表示動作を行う。その後、画像表示装置５は、ステップＳ４０２へ処理を進める。
（ステップＳ５０２）次に、非接触タグ１の通信部１０１は、外部機器が近接することで、ＮＦＣ通信によって外部機器からデータを受信する。制御部１０３は、通信部１０１が受信したデータを取得し、取得したデータを記憶部１０２に書き込む。その後、画像表示装置５は、ステップＳ５０３へ処理を進める。
【００３７】
（ステップＳ５０３）次に、非接触タグ１の制御部１０３は、更新フラグを生成し、生成した更新フラグを記憶部１０２に書き込む。その後、画像表示装置５は、ステップＳ５０４へ処理を進める。
（ステップＳ５０４）次に、主制御部２０２は、例えばＩ２Ｃ通信によって、記憶部１０２に記憶された更新フラグを画像制御装置２へ送信させる指示を、全ての非接触タグ１へ送信する。その指示に基づいて、各非接触タグ１の制御部１０３は、例えばＩ２Ｃ通信によって、記憶部１０２に記憶された更新フラグを画像制御装置２へ送信する。主制御部２０２は、送信された更新フラグを取得する。その後、画像表示装置５は、ステップＳ５０５へ処理を進める。
（ステップＳ５０５）次に、主制御部２０２は、取得した更新フラグに基づいて、少なくとも１つの非接触タグがＮＦＣ通信によって外部機器からデータを受信したか否かを判定する。少なくとも１つの非接触タグが外部機器からデータを受信したと判定した場合（ステップＳ５０５における“ＹＥＳ”）、画像表示装置５は、ステップＳ５０６へ処理を進める。いずれの非接触タグも外部機器からデータを受信していないと判定した場合（ステップＳ５０５における“ＮＯ”）、画像表示装置５は、ステップＳ５０８へ処理を進める。
【００３８】
（ステップＳ５０６）次に、主制御部２０２は、取得した更新フラグに基づいて、ＮＦＣ通信によって外部機器からデータを受信した非接触タグ１を特定する。主制御部２０２は、例えばＩ２Ｃ通信によって、特定した非接触タグ１の制御部１０３へ、その非接触タグ１が外部機器から受信して記憶したデータを送信させる指示を送信する。特定した非接触タグ１の制御部１０３は、その指示に基づいて、記憶部１０２からデータを取得し、例えばＩ２Ｃ通信によって、取得したデータを主制御部２０２に送信する。主制御部２０２は、その送信されたデータを取得する。その後、画像表示装置５は、ステップＳ５０７へ処理を進める。
（ステップＳ５０７）次に、主制御部２０２は、取得したデータを設定記憶部２０１に書き込む。その後、画像表示装置５は、ステップＳ５０８へ処理を進める。
（ステップＳ５０８）次に、画像表示装置５は、設定記憶部２０１に記憶されたデータに基づいて、表示動作を行う。以上で、画像表示装置５は、図５に示される処理を終了する。
なお、図５のステップＳ５０５においてＹＥＳと判定された場合におけるステップＳ５０８は、図４におけるステップＳ４０４へ処理を進めてもよい。
【００３９】
なお、ステップＳ５０３において、非接触タグ１の制御部１０３は、更新フラグを生成するときに、タイムスタンプを生成してもよい。非接触タグ１の制御部１０３は、生成したタイムスタンプを記憶部１０２に記憶させてもよい。
また、ステップＳ５０４において、主制御部２０２は、全ての非接触タグ１から、記憶部１０２に記憶された更新フラグとタイムスタンプを取得してもよい。
また、ステップＳ５０６において、主制御部２０２は、取得したタイムスタンプに基づいて、ＮＦＣ通信によって外部機器から最後にデータを受信した非接触タグ１を特定してもよい。
【００４０】
以上のように、本実施形態に係る画像表示装置５は、複数の非接触タグ１と、画像制御装置２とを備える画像表示装置である。また、非接触タグ１は、外部機器との間でデータの送受信を行う通信部１０１を備える。また、非接触タグ１は、通信部１０１が外部機器からデータを受信した場合、データを受信したことを示す更新情報と、データを受信した時刻を示す受信時刻情報とを生成する制御部１０３を備える。更に、非接触タグ１は、受信したデータと、制御部１０３が生成した更新情報と、制御部１０３が生成した受信時刻情報とを記憶する記憶部１０２を備える。また、画像制御装置２は、データを記憶する設定記憶部２０１を備える。また、画像制御装置２は、全ての非接触タグ１から更新情報と受信時刻情報を取得する主制御部２０２を備える。主制御部２０２は、取得した更新情報に基づいて全ての非接触タグ１のうち少なくとも一つは外部機器からデータを受信したか否かを判定する。主制御部２０２は、外部機器からデータを受信したと判定した場合、取得した受信時刻情報に基づいて、最後に外部機器からデータを受信した非接触タグ１を特定する。また、主制御部２０２は、特定した非接触タグ１の記憶部１０２に書き込まれたデータを取得し、取得したデータを設定記憶部２０１に書き込む。
【００４１】
これにより、複数ある非接触タグ１のいずれかに外部機器が近接することで、画像表示装置５は外部機器からデータを取得し、取得したデータを設定記憶部２０１に記憶することができる。つまり、画像表示装置５の設置位置や方法に関わらず、非接触タグ１は外部機器との通信ができる。
【００４２】
また、本実施形態に係る画像表示装置５において、設定記憶部２０１にデータが書き込まれた場合、主制御部２０２は、設定記憶部２０１からデータを取得し、取得したデータを全ての非接触タグ１に送る。更に、主制御部２０２は、非接触タグ１の制御部１０３に、受け付けたデータを記憶部１０２に書き込むことを指示する。主制御部２０２からデータを受け付けた非接触タグ１の制御部１０３は、受け付けたデータを記憶部１０２に書き込む。
【００４３】
これにより、設定記憶部２０１のデータが更新された場合、その更新されたデータが全ての非接触タグ１の記憶部１０２に書き込まれる。つまり、複数ある非接触タグ１のいずれかに外部機器が近接することで、画像表示装置５は外部機器へデータを送信することができる。すなわち、画像表示装置５の設置位置や方法に関わらず、非接触タグ１は外部機器との通信ができる。
【００４４】
また、本実施形態に係る画像表示装置５において、複数の非接触タグ１のうち、少なくとも１つは、画像表示装置５が設置された状態において、画像表示装置５の下部に配置されてもよい。画像表示装置５の下部とは、例えば、画像表示装置５の上下方向における中心より下方向の部分であればよい。また、画像表示装置５の下部は、例えば、フロントベゼルの底辺であってもよい。これにより、非接触タグ１の位置は、使用者の手が届く位置となり、非接触タグ１は、外部機器と通信することができる。
【００４５】
また、本実施形態に係る画像表示装置５において、複数の非接触タグ１は、画像表示装置の外周部を保護するフロントベゼルに配置されてもよい。非接触タグ１は、フロントベゼルに埋設されてもよい。さらに、画像表示装置５は、フロントベゼルの任意の辺を底辺として設置可能であってもよい。その場合において、非接触タグ１をフロントベゼルに配置する際に、フロントベゼルの各辺に非接触タグ１を配置してもよい。これにより、画像表示装置５を縦置きや横置きにした場合においても、非接触タグ１の位置は、使用者の手が届く位置となり、外部機器をかざして非接触タグ１と通信させることができる。つまり、本実施形態の構成によれば、外部機器は、画像表示装置５の設置位置や方法に関わらず、非接触タグ１との通信ができる。
【００４６】
次に、第２の実施形態について説明する。図６は、第２実施形態に係る画像表示装置８の概略機能構成を示すブロック図である。この図において、画像表示装置８は、非接触タグ６ａと、非接触タグ６ｂと、非接触タグ６ｃと、非接触タグ６ｄと、画像制御装置７とを備える。以下では、非接触タグ６ａと、非接触タグ６ｂと、非接触タグ６ｃと、非接触タグ６ｄを、まとめて、非接触タグ６という場合もある。非接触タグ６は、例えばＮＦＣタグである。
【００４７】
非接触タグ６ａは、外部機器との間でデータの送受信を行う通信部６０１ａを備える。また、非接触タグ６ａは、通信部６０１ａが外部機器からデータを受信した場合、受信したデータと、そのデータを受信したことを示す更新情報と、受信した時刻を示す受信時刻情報とを記憶する記憶部６０２ａを備える。また、非接触タグ６ａは、更新情報と受信時刻情報とを生成し、生成した前記更新情報と前記受信時刻情報とを記憶部６０２ａに記憶させる制御部６０３ａを備える。
非接触タグ６ｂは、外部機器との間でデータの送受信を行う通信部６０１ｂを備える。また、非接触タグ６ｂは、通信部６０１ｂが外部機器からデータを受信した場合、受信したデータと、そのデータを受信したことを示す更新情報と、受信した時刻を示す受信時刻情報とを記憶する記憶部６０２ｂを備える。また、非接触タグ６ｂは、更新情報と受信時刻情報とを生成し、生成した前記更新情報と前記受信時刻情報とを記憶部６０２ｂに記憶させる制御部６０３ｂを備える。
非接触タグ６ｃは、外部機器との間でデータの送受信を行う通信部６０１ｃを備える。また、非接触タグ６ｃは、通信部６０１ｃが外部機器からデータを受信した場合、受信したデータと、そのデータを受信したことを示す更新情報と、受信した時刻を示す受信時刻情報とを記憶する記憶部６０２ｃを備える。また、非接触タグ６ｃは、更新情報と受信時刻情報とを生成し、生成した前記更新情報と前記受信時刻情報とを記憶部６０２ｃに記憶させる制御部６０３ｃを備える。
非接触タグ６ｄは、外部機器との間でデータの送受信を行う通信部６０１ｄを備える。また、非接触タグ６ｄは、通信部６０１ｄが外部機器からデータを受信した場合、受信したデータと、そのデータを受信したことを示す更新情報と、受信した時刻を示す受信時刻情報とを記憶する記憶部６０２ｄを備える。また、非接触タグ６ｄは、更新情報と受信時刻情報とを生成し、生成した前記更新情報と前記受信時刻情報とを記憶部６０２ｄに記憶させる制御部６０３ｄを備える。
以下では、通信部６０１ａ、通信部６０１ｂ、通信部６０１ｃ、通信部６０１ｄを、通信部６０１という場合もある。以下では、記憶部６０２ａ、記憶部６０２ｂ、記憶部６０２ｃ、記憶部６０２ｄを、記憶部６０２という場合もある。以下では、制御部６０３ａ、制御部６０３ｂ、制御部６０３ｃ、制御部６０３ｄを、制御部６０３という場合もある。
【００４８】
画像制御装置７は、データを記憶する設定記憶部７０１を備える。また、画像制御装置７は、複数の非接触タグ６から更新情報と受信時刻情報を取得し、取得した複数の更新情報に基づいて複数の非接触タグ６のうち少なくとも一つが外部機器からデータを受信したか否かを判定する判定部７０３を備える。また、画像制御装置７は、判定部７０３の判定結果に基づいて、外部機器からデータを受信したと判定した場合、取得した複数の受信時刻情報に基づいて、複数の非接触タグ６のうち、受信時刻情報が示す受信時刻が最も新しい非接触タグ６を特定し、特定した非接触タグ６の記憶部６０２に書き込まれたデータを取得し、取得したデータを設定記憶部７０１に書き込む主制御部７０２を備える。
【００４９】
この構成により、複数ある非接触タグ６のいずれかに外部機器が近接することで、画像表示装置８は外部機器からデータを取得し、取得したデータを設定記憶部７０１に記憶することができる。つまり、画像表示装置８の設置位置や方法に関わらず、非接触タグ６は外部機器との通信ができる。
【００５０】
また、この構成により、設定記憶部７０１のデータが更新された場合、その更新されたデータが全ての非接触タグ６の記憶部６０２に書き込まれる。つまり、複数ある非接触タグ６のいずれかに外部機器が近接することで、画像表示装置８は外部機器へデータを送信することができる。すなわち、画像表示装置８の設置位置や方法に関わらず、非接触タグ６は外部機器との通信ができる。
【００５１】
また、本実施形態に係る画像表示装置８において、複数の非接触タグ６のうち、少なくとも１つは、画像表示装置８が設置された状態において、画像表示装置８の下部に配置されてもよい。画像表示装置８の下部とは、例えば、画像表示装置８の上下方向における中心より下方向の部分であればよい。また、画像表示装置８の下部は、例えば、フロントベゼルの底辺であってもよい。これにより、非接触タグ６の位置は、使用者の手が届く位置となり、非接触タグ６は、外部機器と通信することができる。
【００５２】
また、本実施形態に係る画像表示装置８において、複数の非接触タグ６は、画像表示装置の外周部を保護するフロントベゼルに配置されてもよい。非接触タグ６は、フロントベゼルに埋設されてもよい。さらに、画像表示装置８は、フロントベゼルの任意の辺を底辺として設置可能であってもよい。その場合において、非接触タグ６をフロントベゼルに配置する際に、フロントベゼルの各辺に非接触タグ６を配置してもよい。これにより、画像表示装置８を縦置きや横置きにした場合においても、非接触タグ６の位置は、使用者の手が届く位置となり、外部機器をかざして非接触タグ６と通信させることができる。つまり、この構成により、外部機器は、画像表示装置８の設置位置や方法に関わらず、非接触タグ６との通信ができる。
【００５３】
また、図３から図５において主制御部２０２が実行する機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ（Ｆｉｅｌｄ Ｐｒｏｇｒａｍｍａｂｌｅ Ｇａｔｅ Ａｒｒａｙ）等のプログラマブルロジックデバイスを用いて実現されるものであってもよい。
【００５４】
以上、この発明の実施形態について図面を参照して詳述してきたが、具体的な構成はこの実施形態に限られるものではなく、この発明の要旨を逸脱しない範囲の設計等も含まれる。
【符号の説明】
【００５５】
１ａ、１ｂ、１ｃ、１ｄ  非接触タグ
１０１ａ、１０１ｂ、１０１ｃ、１０１ｄ  通信部
１０２ａ、１０２ｂ、１０２ｃ、１０２ｄ  記憶部
１０３ａ、１０３ｂ、１０３ｃ、１０３ｄ  制御部
２  画像制御装置
２０１  設定記憶部
２０２  主制御部
３  表示部
４  フロントベゼル
５  画像表示装置
６ａ、６ｂ、６ｃ、６ｄ  非接触タグ
６０１ａ、６０１ｂ、６０１ｃ、６０１ｄ  通信部
６０２ａ、６０２ｂ、６０２ｃ、６０２ｄ  記憶部
６０３ａ、６０３ｂ、６０３ｃ、６０３ｄ  制御部
７  画像制御装置
７０１  設定記憶部
７０２  主制御部
７０３  判定部
８  画像表示装置
Ｓ３０１−Ｓ３０８  画像表示装置５における処理
Ｓ４０１−Ｓ４０５  画像表示装置５における処理
Ｓ５０１−Ｓ５０８  画像表示装置５における処理
【図１】
2016206913.tif 000003
【図２】
2016206913.tif 000004
【図３】
2016206913.tif 000005
【図４】
2016206913.tif 000006
【図５】
2016206913.tif 000007
【図６】
2016206913.tif 000008